(57)【要約】【課題】有効性確認を経済的かつ効率的に実行可能とする。【解決手段】第１の情報処理装置が第２の情報処理装置の認証を伴って台紙データを配信するとともに台紙データの発行状況をデータベースに登録するステップと、第２の情報処理装置が第３の情報処理装置の認証を伴って電子チケットを生成し配信するとともに電子チケットの発行状況をデータベースに登録し台紙データの利用状況更新をデータベースに要求するステップと、第３の情報処理装置が第２の情報処理装置より電子チケットを受信しコード化した個別情報を電子チケットに合成して印刷装置に出力するとともに電子チケットの利用状況更新をデータベースに要求するステップと、第４の情報処理装置が印刷物上から認識したコード化された個別情報とイメージ読取りで認識した個別情報との整合性を判定し改竄有無を出力インターフェイスに出力するステップとを実行する。【選択図】      図１
2004303091.tif 000002
【特許請求の範囲】
【請求項１】
チケットの発行管理を情報処理装置により行う方法であって、
チケット台紙のデータを生成する第１の情報処理装置が、チケット発行を行う第２の情報処理装置の認証情報を格納した台紙発行先認証データベースと、チケット台紙の利用状況を格納する台紙管理データベースとにアクセス可能であり、
前記第２の情報処理装置よりチケット台紙の発行要求を受信するステップと、
前記台紙発行要求に含まれる認証データを前記台紙発行先認証データベースに照合して、前記第２の情報処理装置の認証を行うステップと、
前記第２の情報処理装置が認証されたならば、前記台紙発行要求に含まれる台紙発行要求数に応じて台紙データを生成するステップと、
前記台紙データ毎にその発行状況を前記台紙管理データベースに登録するステップと、
前記台紙データを前記第２の情報処理装置に送信するステップと、
を含むことを特徴とするチケット発行管理方法。
【請求項２】
前記台紙データを生成するにあたり、生成する台紙の属性を第２の情報処理装置毎に定めたテーブルを参照し、該当する第２の情報処理装置に応じて台紙データの生成内容を指定するステップを含むことを特徴とする請求項１に記載のチケット発行管理方法。
【請求項３】
前記第２の情報処理装置が、チケット印刷を行う第３の情報処理装置の認証情報を格納したチケット発行先認証データベースと、チケットの利用状況を格納するチケット管理データベースとにアクセス可能であり、
前記第３の情報処理装置よりチケット発行要求を受信するステップと、
前記チケット発行要求に含まれる認証データを前記チケット発行先認証データベースに照合して、前記第３の情報処理装置の認証を行うステップと、
前記第３の情報処理装置が認証されたならば、前記チケット発行要求に含まれるチケット発行要求数に応じてチケットデータを生成するステップと、
前記チケットデータ毎にその発行状況を前記チケット管理データベースに登録するステップと、
前記チケットデータを前記台紙データに合成して電子チケットを生成するステップと、
前記台紙管理データベースに対して、前記電子チケットを構成する台紙データの利用状況を更新する要求を実行するステップと、
前記電子チケットを前記第３の情報処理装置に送信するステップと、
を含むことを特徴とする請求項１に記載のチケット発行管理方法。
【請求項４】
前記第３の情報処理装置が、前記第２の情報処理装置より電子チケットを受信するステップと、
前記電子チケットを印刷装置に出力するステップと、
前記チケット管理データベースに対して、前記電子チケットの利用状況を更新する要求を実行するステップと、
を含むことを特徴とする請求項３に記載のチケット発行管理方法。
【請求項５】
前記印刷装置に電子チケットを出力するに際し、電子チケットの個別情報をコード化するステップと、
前記コード化された個別情報を電子チケットに合成して印刷装置に出力するステップと、
を含むことを特徴とする請求項４に記載のチケット発行管理方法。
【請求項６】
前記個別情報のコード化を、前記第２の情報処理装置において実行することを特徴とする請求項５に記載のチケット発行管理方法。
【請求項７】
前記電子チケットの印刷物の利用を受け付ける第４の情報処理装置が、
前記印刷物上の前記コード化された個別情報を読み取るステップと、
前記印刷物のイメージ読取りを行って、当該印刷物上の個別情報を認識するステップと、
前記個別情報間の整合性を判定するステップと、
前記判定の結果、個別情報間で整合性がとれた場合、改竄が行われていないと認識し、その旨を出力インターフェイスに出力するステップと、
を含むことを特徴とする請求項５に記載のチケット発行管理方法。
【請求項８】
前記チケット管理データベースに対し、前記改竄が行われていないと認識された印刷物に対応する電子チケットの利用状況を更新する要求を実行するステップとを含むことを特徴とする請求項７に記載のチケット発行管理方法。
【請求項９】
前記台紙データが単色ドット或いは画素の塗り分けのパターンのデータから構成され、前記パターンデータと当該パターン上に上書きされる印字領域のデータとの相関を個別情報とすることを特徴とする請求項５または７に記載のチケット発行管理方法。
【請求項１０】
電子チケットの添付を要する申請処理に対応して、前記電子チケットを印刷装置に出力するに際し、添付用としての属性が付された添付電子チケットと、当該添付電子チケットの処理状況をチケット利用者側に返送する属性が付された返送電子チケットとを生成するステップを含むことを特徴とする請求項５に記載のチケット発行管理方法。
【請求項１１】
前記添付電子チケットおよび返送電子チケットは、前記申請処理を受け付ける情報処理装置において、前記個別情報間の整合性が判定されて改竄有無が認識され、
前記返送電子チケットは、前記添付電子チケットの処理状況が前記情報処理装置において書き込みされ、少なくともチケット利用者側に前記添付電子チケットの処理状況が返送されることを特徴とする請求項１０に記載のチケット発行管理方法。
【請求項１２】
前記添付電子チケットは上限値が設定された処理回数フラグを含み、前記情報処理装置において処理毎に前記フラグを立て、前記上限値までフラグが達したならば当該添付電子チケットの有効性を破棄することを特徴とする請求項１０または１１に記載のチケット発行管理方法。
【請求項１３】
チケットの発行管理を情報処理装置により行う方法であって、
チケット台紙のデータを生成する第１の情報処理装置が、チケット発行を行う第２の情報処理装置の認証を伴って、当該第２の情報処理装置に台紙データを生成して配信するとともに、台紙データの発行状況をデータベースに登録するステップと、
前記第２の情報処理装置が、チケット印刷を行う第３の情報処理装置の認証を伴って、当該第３の情報処理装置に電子チケットを生成し配信するとともに、電子チケットの発行状況をデータベースに登録し、台紙データの利用状況更新をデータベースに要求するステップと、
前記第３の情報処理装置が、前記第２の情報処理装置より電子チケットを受信し、コード化した当該電子チケットの個別情報を電子チケットに合成して印刷装置に出力するとともに、電子チケットの利用状況更新をデータベースに要求するステップと、
前記電子チケットの印刷物の利用を受け付ける第４の情報処理装置が、前記印刷物上から認識した前記コード化された個別情報と、イメージ読取りで認識した前記印刷物の個別情報との整合性を判定し、前記判定の結果に応じて認識した改竄有無を出力インターフェイスに出力するステップと、
を含むことを特徴とするチケット発行管理方法。
【請求項１４】
チケットの発行管理を行うシステムであって、
チケット発行を行う第２の情報処理装置の認証を伴って、当該第２の情報処理装置に台紙データを生成して配信するとともに、台紙データの発行状況をデータベースに登録する、第１の情報処理装置と、
チケット印刷を行う第３の情報処理装置の認証を伴って、当該第３の情報処理装置に電子チケットを生成し配信するとともに、電子チケットの発行状況をデータベースに登録し、台紙データの利用状況更新をデータベースに要求する、第２の情報処理装置と、
前記第２の情報処理装置より電子チケットを受信し、コード化した当該電子チケットの個別情報を電子チケットに合成して印刷装置に出力するとともに、電子チケットの利用状況更新をデータベースに要求する、第３の情報処理装置と、
前記印刷物上から認識した前記コード化された個別情報と、イメージ読取りで認識した前記印刷物の個別情報との整合性を判定し、前記判定の結果に応じて認識した改竄有無を出力インターフェイスに出力する、第４の情報処理装置と、
を含むことを特徴とするチケット発行管理システム。
【請求項１５】
チケット発行を行う第２の情報処理装置の認証情報を格納した台紙発行先認証データベースと、チケット台紙の利用状況を格納する台紙管理データベースとにアクセス可能であり、
前記第２の情報処理装置よりチケット台紙の発行要求を受信する手段と、
前記台紙発行要求に含まれる認証データを前記台紙発行先認証データベースに照合して、前記第２の情報処理装置の認証を行う手段と、
前記第２の情報処理装置が認証されたならば、前記台紙発行要求に含まれる台紙発行要求数に応じて台紙データを生成する手段と、
前記台紙データ毎にその発行状況を前記台紙管理データベースに登録する手段と、
前記台紙データを前記第２の情報処理装置に送信する手段と、
を備えることを特徴とする情報処理装置。
【請求項１６】
チケット印刷を行う第３の情報処理装置の認証情報を格納したチケット発行先認証データベースと、チケットの利用状況を格納するチケット管理データベースとにアクセス可能であり、
前記第３の情報処理装置よりチケット発行要求を受信する手段と、
前記チケット発行要求に含まれる認証データを前記チケット発行先認証データベースに照合して、前記第３の情報処理装置の認証を行う手段と、
前記第３の情報処理装置が認証されたならば、前記チケット発行要求に含まれるチケット発行要求数に応じてチケットデータを生成する手段と、
前記チケットデータ毎にその発行状況を前記チケット管理データベースに登録する手段と、
前記チケットデータを前記台紙データに合成して電子チケットを生成する手段と、
チケット台紙の利用状況を格納する台紙管理データベースに対して、前記電子チケットを構成する台紙データの利用状況を更新する要求を実行する手段と、
前記電子チケットを前記第３の情報処理装置に送信する手段と、
を備えることを特徴とする情報処理装置。
【請求項１７】
チケット発行を行う第２の情報処理装置より電子チケットを受信する手段と、
前記電子チケットを印刷装置に出力する手段と、
チケットの利用状況を格納するチケット管理データベースに対して、前記電子チケットの利用状況を更新する要求を実行する手段と、
を備えることを特徴とする情報処理装置。
【請求項１８】
電子チケットの印刷物上のコード化された個別情報を読み取る手段と、
前記印刷物のイメージ読取りを行って、当該印刷物上の個別情報を認識する手段と、
前記個別情報間の整合性を判定する手段と、
前記判定の結果、個別情報間で整合性がとれた場合、改竄が行われていないと認識し、その旨を出力インターフェイスに出力する手段と、
を備えることを特徴とする情報処理装置。
【発明の詳細な説明】
【０００１】
【発明の属する技術分野】
本発明は、チケット発行管理方法およびシステム、情報処理装置に関する。
【０００２】
【従来の技術】
電子政府が実現されるにおいて、例えば国民から行政に対する各種申請手続きが電子化される。一方で、行政側から発行される各種証明書やチケット類は、その改竄や不正使用を抑止する意味合いから郵送あるいは窓口配布といった受取手段しか提供されてこなかった。このため、各種証明書やチケットの有効性確認をユビキタス環境で可能とするべく、種々の技術が提案されている。
例えば、印刷物の真贋や有効性確認をオフラインで行なうもの（特許文献１参照）や、証明を求める申請者側でプリントした印刷物を公的証明書として使用するもの（特許文献２参照）、或いは個人を特定することができる情報と証明書データを関連付けて管理するデータベースと、キー情報をもとにして証明書データを検索する技術（特許文献３参照）などが提案されている。
【０００３】
【特許文献１】
特開２００１−１３４６７２号公報
【０００４】
【特許文献２】
特開２００１−３５７１５４号公報
【０００５】
【特許文献３】
特開２００２−２７９０９９号公報
【０００６】
【発明が解決しようとする課題】
しかしながら、かかる従来技術においては、次のような課題があった。まず、非接触で電子的に読み書き可能なデータキャリア機構を組み込んだ電子シート、或いはコピー不可用紙（複写機でコピーを取ると、複写物であることを示す文字やパターンが浮き上がって表示される特殊な用紙）を、印刷記録媒体として使用する必要があった。つまり、特殊な印刷装置や用紙を利用することで、運用効率やコストの悪化や利用者側のハードウェアの導入負担増加も少なからず懸念されるものであった。
したがって、有効性（不正改竄の有無など）を経済的かつ効率的に検証できる証明書等の発行を行う手法は確立されていなかったのである。
そこで本発明はこのような課題に着目してなされたもので、有効性確認を経済的かつ効率的に実行可能なチケット発行管理方法およびシステム、情報処理装置を提供することを目的とする。
【０００７】
【課題を解決するための手段】
上記目的を達成する本発明のチケット発行管理方法は、チケットの発行管理を情報処理装置により行う方法であって、チケット台紙のデータを生成する第１の情報処理装置が、チケット発行を行う第２の情報処理装置の認証情報を格納した台紙発行先認証データベースと、チケット台紙の利用状況を格納する台紙管理データベースとにアクセス可能であり、前記第２の情報処理装置よりチケット台紙の発行要求を受信するステップと、前記台紙発行要求に含まれる認証データを前記台紙発行先認証データベースに照合して、前記第２の情報処理装置の認証を行うステップと、前記第２の情報処理装置が認証されたならば、前記台紙発行要求に含まれる台紙発行要求数に応じて台紙データを生成するステップと、前記台紙データ毎にその発行状況を前記台紙管理データベースに登録するステップと、前記台紙データを前記第２の情報処理装置に送信するステップと、を含むを特徴とする。
【０００８】
また、チケットの発行管理を情報処理装置により行う方法であって、チケット台紙のデータを生成する第１の情報処理装置が、チケット発行を行う第２の情報処理装置の認証を伴って、当該第２の情報処理装置に台紙データを生成して配信するとともに、台紙データの発行状況をデータベースに登録するステップと、前記第２の情報処理装置が、チケット印刷を行う第３の情報処理装置の認証を伴って、当該第３の情報処理装置に電子チケットを生成し配信するとともに、電子チケットの発行状況をデータベースに登録し、台紙データの利用状況更新をデータベースに要求するステップと、前記第３の情報処理装置が、前記第２の情報処理装置より電子チケットを受信し、コード化した当該電子チケットの個別情報を電子チケットに合成して印刷装置に出力するとともに、電子チケットの利用状況更新をデータベースに要求するステップと、前記電子チケットの印刷物の利用を受け付ける第４の情報処理装置が、前記印刷物上から認識した前記コード化された個別情報と、イメージ読取りで認識した前記印刷物の個別情報との整合性を判定し、前記判定の結果に応じて認識した改竄有無を出力インターフェイスに出力するステップと、を含むことを特徴とするチケット発行管理方法にかかる。
【０００９】
更に、チケットの発行管理を行うシステムであって、チケット発行を行う第２の情報処理装置の認証を伴って、当該第２の情報処理装置に台紙データを生成して配信するとともに、台紙データの発行状況をデータベースに登録する、第１の情報処理装置と、チケット印刷を行う第３の情報処理装置の認証を伴って、当該第３の情報処理装置に電子チケットを生成し配信するとともに、電子チケットの発行状況をデータベースに登録し、台紙データの利用状況更新をデータベースに要求する、第２の情報処理装置と、  前記第２の情報処理装置より電子チケットを受信し、コード化した当該電子チケットの個別情報を電子チケットに合成して印刷装置に出力するとともに、電子チケットの利用状況更新をデータベースに要求する、第３の情報処理装置と、前記印刷物上から認識した前記コード化された個別情報と、イメージ読取りで認識した前記印刷物の個別情報との整合性を判定し、前記判定の結果に応じて認識した改竄有無を出力インターフェイスに出力する、第４の情報処理装置と、を含むことを特徴とするチケット発行管理システムにかかる。
【００１０】
また、チケット発行を行う第２の情報処理装置の認証情報を格納した台紙発行先認証データベースと、チケット台紙の利用状況を格納する台紙管理データベースとにアクセス可能であり、前記第２の情報処理装置よりチケット台紙の発行要求を受信する手段と、前記台紙発行要求に含まれる認証データを前記台紙発行先認証データベースに照合して、前記第２の情報処理装置の認証を行う手段と、前記第２の情報処理装置が認証されたならば、前記台紙発行要求に含まれる台紙発行要求数に応じて台紙データを生成する手段と、前記台紙データ毎にその発行状況を前記台紙管理データベースに登録する手段と、前記台紙データを前記第２の情報処理装置に送信する手段と、を備えることを特徴とする情報処理装置にかかる。
【００１１】
更に、チケット印刷を行う第３の情報処理装置の認証情報を格納したチケット発行先認証データベースと、チケットの利用状況を格納するチケット管理データベースとにアクセス可能であり、前記第３の情報処理装置よりチケット発行要求を受信する手段と、前記チケット発行要求に含まれる認証データを前記チケット発行先認証データベースに照合して、前記第３の情報処理装置の認証を行う手段と、前記第３の情報処理装置が認証されたならば、前記チケット発行要求に含まれるチケット発行要求数に応じてチケットデータを生成する手段と、前記チケットデータ毎にその発行状況を前記チケット管理データベースに登録する手段と、前記チケットデータを前記台紙データに合成して電子チケットを生成する手段と、チケット台紙の利用状況を格納する台紙管理データベースに対して、前記電子チケットを構成する台紙データの利用状況を更新する要求を実行する手段と、前記電子チケットを前記第３の情報処理装置に送信する手段と、を備えることを特徴とする情報処理装置にかかる。
【００１２】
また、チケット発行を行う第２の情報処理装置より電子チケットを受信する手段と、前記電子チケットを印刷装置に出力する手段と、チケットの利用状況を格納するチケット管理データベースに対して、前記電子チケットの利用状況を更新する要求を実行する手段と、を備えることを特徴とする情報処理装置にかかる。
【００１３】
更に、電子チケットの印刷物上のコード化された個別情報を読み取る手段と、前記印刷物のイメージ読取りを行って、当該印刷物上の個別情報を認識する手段と、前記個別情報間の整合性を判定する手段と、前記判定の結果、個別情報間で整合性がとれた場合、改竄が行われていないと認識し、その旨を出力インターフェイスに出力する手段と、を備えることを特徴とする情報処理装置にかかる。
【００１４】
なお、上記の電子チケットは、各種イベント等の入場チケットの他、有価證券、各種証明書など、発行管理の必要性が認められる種々のものに適用可能である。
【００１５】
その他、本願が開示する課題、及びその解決方法は、発明の実施の形態の欄及び図面により明らかにされる。
【００１６】
【発明の実施の形態】
以下に本発明の実施形態について図面を用いて詳細に説明する。図１は本実施形態におけるチケット発行管理方法の概念モデルを示す図である。本実施形態においては、官公庁や企業が発行する各種証明書やチケットといった電子化される有価證券を、改竄や不正使用を抑止して有効性を確立しつつ、ユビキタス環境での印刷・配布を可能とする。そこで、前記証明書やチケット等（以下、チケットと総称）を構成する台紙一枚ずつが、識別性をもって登録・管理されることとなる。なお、前記チケットとしては、各種証明書の他、イベント等の入場チケットなど、発行管理の必要性が認められる種々のものに適用可能である。
【００１７】
台紙の発行管理を行う第１の情報処理装置としての電子台紙発行管理装置（以下、台紙管理装置１００）は、例えば前記官公庁や企業等に台紙を提供する台紙提供者のシステムとみなせる。前記台紙管理装置１００は、チケット発行を行う第２の情報処理装置としてのチケット発行管理装置（以下、チケット管理装置２００）を認証し、台紙データを生成して配信する。
【００１８】
このため、前記チケット管理装置２００の認証情報を格納した発行先認証データベース１０１（台紙発行先認証データベース）と、チケット台紙の利用状況を格納・管理する電子台紙管理データベース１０２（台紙管理データベース）とを備えている。或いはネットワークを介してアクセス可能である。そして、前記チケット管理装置２００より受信するチケット台紙の発行要求に応じて、必要枚数の台紙データを生成し配信する電子台紙発行プログラム１０３と、前記台紙データ毎にその発行状況を前記電子台紙管理データベース１０２に登録する電子台紙状態更新プログラム１０４とを備えている。
【００１９】
このような台紙管理装置１００は、前記各プログラム１０３、１０４を適宜な記憶装置に保有し、これを演算装置らがＯＳ（Ｏｐｅｒａｔｉｎｇ  Ｓｙｓｔｅｍ）に基づき読み出すなどして台紙発行の処理を実行する。他に、台紙管理装置１００がネットワーク６００を介して前記チケット管理装置２００や、後述するチケット受付装置４００、チケット検証装置５００らと接続してデータ通信を実行するネットワークアダプタ、各種データの出力を実行する出力インターフェイス、操作者からの選択や指示を受け付ける入力インターフェイスを、情報処理装置として当然に備えている。
【００２０】
また、生成する台紙データの属性をチケット管理装置２００毎に定めたテーブル（図示しない）を有して、前記台紙データを生成するにあたりこれを参照し、該当するチケット管理装置２００に応じた台紙データの生成内容を指定することもできる。
【００２１】
一方、前記チケット管理装置２００は、チケット印刷を行う第３の情報処理装置としての利用者装置３００の認証情報を格納した発行先認証データベース２０１（チケット発行先認証データベース）と、チケットの利用状況を格納するチケット管理データベース２０２とを備えている。或いはネットワークを介してアクセス可能である。そして、前記利用者装置３００より受信するチケット発行要求等に応じて、前記台紙管理装置１００に台紙発行要求を行う発行者確認プログラム２０３、前記利用者装置３００よりのチケット発行要求に応じた必要枚数の電子チケット５０を生成し配信するチケット発行プログラム２０４と、前記電子チケット毎にその発行・利用状況を前記チケット管理データベース２０２に登録するチケット状態更新プログラム２０５とを備えている。このようなチケット管理装置２００は、前記台紙管理装置１００と同様に情報処理装置として備えるべき手段、機能を当然に備えている。
【００２２】
他方、実際にチケット利用者が電子チケットを印刷媒体に印刷し、手にするための装置が前記利用者装置３００である。この利用者装置３００は、前記チケット管理装置２００にチケット発行要求を行って、電子チケット５０（台紙データにチケットデータがはめ込まれたもの）の受信を担う利用者確認プログラム３０１、前記電子チケット５０をプリンタ装置３０３（印刷装置）に出力しチケット印刷物（以下、印刷物９０）を生成するチケット印刷プログラム３０２、および前記プリンタ装置３０３とを備えている。このような利用者装置３００は、前記台紙管理装置１００らと同様に情報処理装置として備えるべき手段、機能を当然に備えている。
【００２３】
また、前記印刷物９０は、チケット利用者により使用場所に携行される。そしてその印刷物９０は、その有効性が確認されることとなる。この有効性確認を主たる役割とするのが第４の情報処理装置としての、チケット受付装置４００である。このチケット受付装置４００は、前記印刷物９０のイメージを読み取るイメージスキャナ装置４０１と、当該イメージスキャナ装置４０１を制御するキャプチャプログラム４０２と、前記印刷物９０のイメージ読取りを行って当該印刷物上の個別情報を認識し有効性の確認を行う電子台紙有効性確認プログラム４０３とを備えている。
【００２４】
またこの有効性確認の結果を、印刷物９０毎に有効性確認の処理をとりまとめるチケット検証装置５００へ転送する検証データ転送プログラム４０４を備えるものとできる。なお、チケット検証装置５００は、チケット受付装置４００と同様にイメージスキャナ装置５０１、キャプチャプログラム５０２、電子台紙有効性確認プログラム５０３らを備える。また、チケット受付装置４００より転送されてきた有効性確認の結果や印刷物９０（例：チケットが受付処理された後の半券）に基づいて再度の有効性確認を実施することもできる。印刷物９０、つまりは電子チケット５０が使用された状況は、チケット状態更新要求プログラム５０４により、前記チケット管理データベース２０２に対して更新要求される。
【００２５】
図２で、上記の台紙管理装置１００、チケット管理装置２００、利用者装置３００、チケット受付装置４００、およびチケット検証装置５００を集約して１つのシステム（チケット発行管理システム）１０とみなした構成例を示している。このシステム１０は、前記各プログラム１０３、１０４、２０３、２０４、２０５、３０１、３０２、４０２、４０３、４０４、５０２、５０３、５０４を格納するメモリ１１と、前記各プログラムらを読み出して実行する演算装置たるＣＰＵ１２とを備える。
【００２６】
また、データ入出力制御を担うＩ／Ｏ制御部１３、ユーザからの操作を受け付けてデータ出力を行う入出力インターフェイスとしてのユーザ操作入出力部１４、また、データ通信制御に伴うネットワークアダプタとしての通信ネットワーク接続部１５を備えている。他に、前記プリンタ装置３０３、イメージスキャナ装置４０１、５０１らも有することとなる。
【００２７】
更に、前記電子台紙管理データベース１０２、チケット管理データベース２０２、発行先認証データベース１０１、２０１をハードディスク１６などの記憶装置に設けている。このようなシステム１０は、通信ネットワーク６００を介して、例えば外部の認証局１５０らと認証情報のやりとりを実行できる。
【００２８】
上記のようにシステム１０として第１〜第４の情報処理装置が一体に構成されたものを示したが、図１について説明したように、各情報処理装置は独立に構成され、ネットワーク（バス配線等も含む）で結ばれて動作する形態が運営効率上まずは想定できる。
次に、前記各データベースについて、そのデータ構造例を説明する。図３は発行先認証データベースのデータ構造例を示す図である。発行先認証データベース１０１、２０１は、台紙管理装置１００が利用する場合、チケット管理装置２００の認証用の情報が格納されたものであり、チケット管理装置２００が利用する場合、利用者装置３００の認証用の情報が格納されたものとなる。
【００２９】
いずれにしても“発行先”毎に発行先認証レコード５５が生成される。このレコード５５は、発行先ＩＤ５６をキー情報とし、認証用のパスワード５７、および台紙またはチケットの発行要求に対して受付可能な内容コードを記述した受付可能要求コード５８が関連づけされている。
【００３０】
図４は電子台紙管理データベースのデータ構造例を示す図である。電子台紙管理データベース１０２では、生成された台紙毎に電子台紙管理レコード６０が設定される。当該レコード６０は、台紙データのＩＤを格納する電子台紙ＩＤカラム１、発行時刻を格納する台紙発行時刻カラム６２、台紙管理装置１００の電子署名が格納される台紙発行時署名データカラム６３、台紙データの有効期間が格納される有効期間データカラム６４、台紙の用途が格納される用途識別データカラム６５、暗号鍵が格納される暗号鍵カラム６６、台紙の発行先ＩＤが格納される電子台紙発行先ＩＤカラム６７、およびチケット管理装置２００で当該台紙データを用いたチケット発行がなされたか否かを示す電子台紙発行検証済みフラグカラム６８から構成される。
【００３１】
図５はチケット管理データベースのデータ構造例を示す図である。チケット管理データベース２０２では、発行されたチケット毎にチケット管理レコード７０が生成される。当該レコード７０は、チケット発行時刻カラム７１、チケット内容データカラム７２、チケットＩＤカラム７３、チケット発行署名データカラム７４、チケット利用者ＩＤカラム７５、電子台紙ＩＤカラム７６、電子台紙文様データカラム７７、チケット発行検証済みフラグカラム７８、チケット有効期間カラム７９、およびチケット使用検証済みデータカラム８０から構成される。
【００３２】
次に、利用者装置３００の前記プリンタ装置３０３において電子チケット５０を印刷した際に出力される、印刷物９０について説明する。当該印刷物９０は、前記台紙管理装置１００が発行した台紙データが印刷された適宜な印刷媒体（例：紙、樹脂、その他印刷可能な材）がベースとなっている。前記台紙データは、電子台紙文様データ印字領域９１を構成する情報となる。そして、この領域９１には、チケット内容データ印字領域９２、チケット発行署名データ印字領域９３、チケット有効期間印字領域９４、および使用済みチェック記入領域９５が含まれる。
【００３３】
前記チケット内容データ印字領域９２およびチケット有効期間印字領域９４は、文字情報など人間が直接読み取ることができる情報を記載する領域である。他方、前記チケット発行署名印字データ領域９３は、コード情報を書き込む領域である。コード情報とはバーコードや２次元コードのような、リーダ機能等を備えた情報処理装置を使って読み取ることができる情報を指す。
【００３４】
なお、２次元コードには、バーコードを積み重ねたスタック型と、同じ大きさのセルを黒白で縦横に配置したマトリックス型とが想定されるが、これら以外の２次元バーコードおよびそれと同様に情報を記録する手法も適用可能である。なお、コード情報を書き込む領域の代わりに、ＩＣチップや磁気テープなどの記憶媒体を台紙に設け、この記憶媒体にコード情報を格納する構成としてもよい。また、記憶媒体とコード情報を書き込む領域の双方を備えることも本実施の形態に含まれる。
【００３５】
また、前記の文字情報を記載する領域９２、９４とコード情報を書き込む領域９３は、それぞれ２つの領域に分けられている。１つの領域には、台紙を管理する為の電子台紙ＩＤ、台紙発行時刻及び台紙発行時の署名等のデータが台紙管理装置１００において記載される。もう１つの領域には、当該印刷物９０における（有効性の）証明内容の特徴量（個別情報）、前記証明内容を前記チケット内容データの印字等で上書きした時刻、及びこの上書き時の署名等のデータがチケット管理装置２００において記載される。
【００３６】
図７は、台紙管理装置１００において、電子台紙ＩＤや台紙発行時刻及び台紙発行時の署名データ等の個別情報のデータ７００をコード化し、前記領域９１らに書き込んだ時の台帳文様イメージを示すものである。領域９２の一部領域７１０を拡大すると、黒いドットとして表示される画素７２０と、空白として表現される画素７３０とがある。例えば、文字が３２ビットで表現されるとしたとき、このデータを２進数で表現すると１６桁になるから、１６ドット分の白黒（２進数で０を白、１を黒で表現する）で１文字を表現することができる。
【００３７】
データ７００は、複数の文字列で構成されるので、上記の方法でコード化すると領域９３は７１０に示すパターン（電子台紙文様）で塗潰される。ここでは、データ７００を単純にコード化する例を述べたが、データの偽造を防ぐという観点から、データ７００を暗号化した上で、コード化するのが望ましい。また、読み取りエラーを考慮し、データを繰り返し記載したほうが望ましい。
【００３８】
図８は、リーダ等の情報処理装置による読み取りを考慮したパターンの説明図である。上述図７の方式では、１文字を１６ドット分で表現すると決めており、同じ文字列であれば同じパターンが描かれる。しかし、文字と文字の切れ目を区別できない可能性があり、パターンから元になったデータを読み出すような用途には不向きと考えられる。
【００３９】
従って図８では、塗潰し領域を５×５のマトリックス８００に分割し、そのマトリックスの左上の画素（８１０，８３０，８４０，８５０）が基準点として必ず塗潰されるものとする。また、前記の１６ドットを４×４のマトリックスに対応させる。このようにすると、文字列の情報は画素８２０，８６０，８７０，８８０のように無秩序に分布することになるが、画素８１０，８３０，８４０，８５０は規則的に配列される為、データの切れ目が容易に見つけられる。
ただし、前記の２次元コードにも様々なパターンが提案されているように、図８に示す方式に限定されるものではない。なお、よりシンプルに、所定の間隔ごとに塗潰しを行い、これを上書きされる文字（その他のデータ）と塗潰される点、ドットを含む領域との関係を記憶しておくとすることもできる。
【００４０】
一方、図９は、コード化したパターンで領域を塗潰す方法について示した説明図である。データ９１０の内容をコード化して領域９３を塗潰す場合、同じパターンを何度も繰り返し使うことになる。例えば、パターン９２０とパターン９３０が同じだと分かってしまうと、パターン９２０の一部が上書き文字によって消されたとしても、パターン９３０を使って上書き文字を消し去ることが可能になってしまう。これを防止する方法として、内容９１０を暗号化する為に数種類の秘密鍵を用意し、秘密鍵１（９５０）で暗号化した暗号データ１を作成し、これをコード化したパターンを領域９２０に描く。さらに、暗号データ１を秘密鍵２（９６０）で暗号化した暗号データ２を作成し、これをコード化したパターンを領域９３０に描く。このような処理を繰り返すことによって領域９３を塗潰す。このようにすると、領域９２０を塗潰したパターンと領域９３０を塗潰したパターンは異なることになるので、前記のような使い方はできなくなる。
【００４１】
図１０及び図１１は、領域９３を塗潰すパターンの生成方法に関するフローチャートであり、図７、図８、図９とは異なるパターンを生成する。図１２は、この処理によって作成されるパターンの例を示すものである。また、図１３は台紙パターンに個別情報を上書きするための処理フローである。
【００４２】
ところで、図１０の処理によってパターンのカスタマイズを行なう前に、基本となるパターンの生成方法について簡単に述べる。例えば、基本パターンとして、領域内にある画素を３色（色１，色２，色３）で塗り分けたものを作成する。このとき、上・下・左・右で隣り合う画素が必ず異なる色となるように塗り分ける。最も簡単な塗り方は、色１及び色２及び色３を順番に繰り返し塗っていくことであり、最上段を横一列に塗り分ける。
【００４３】
次に、一つ下の列について、色２を最左端として、色２，色３，色１の順に繰り返し塗潰す。さらに、その下の列については、色３を最左端として、色３，色１，色２の順に繰り返し塗潰す。これを最下列まで繰り返せば、領域９３を３色で塗潰すことができる。これを基本パターンと呼ぶことにする。なお、この色は、プリンタ装置３０３で用いられる原色をそれぞれ用いてもよい。例えば、シアン、マゼンダ、イエロー、ブラックから３色を選択してもよいし、３色に限定せず４色を用いてもよい。
【００４４】
次に、基本パターンに電子台紙ＩＤ等の個別情報を埋め込む処理を行なう。この処理を示すのが図１０である。台紙管理装置１００は、ステップ１３００において領域９３をスキャンするための初期値設定を行なう。例えば、左上の画素を初期値と設定する。ステップ１３１０において、対象画素の左に位置する画素と真上に位置する画素に関して画素色を調べる。この２つの画素の色が同じであればステップ１３１５に処理を進め、異なる場合はステップ１３５０に処理を進める。
【００４５】
ステップ１３１５では画素に対して情報を埋め込むかどうかを判定する。ただし、ここでいう情報とは、個別情報の一部である。例えば、電子台紙ＩＤが”１１”であり、この台紙ＩＤを画像中に埋め込むこととする。ところで、”１１”は１０進法で表現されたものであるが、これを２進数で表現すると”１０１１”となる。したがって、”１１”という値を画素に埋め込むためには少なくとも４つの画素が必要となり、４つの画素にそれぞれ”１”，”０”，”１”，”１”を埋め込むことができれば、画像に個別ＩＤを埋め込んだといえることになる。
【００４６】
ここで、ステップ１３１５に戻り、対象となっている画素に埋め込もうとしている値が”１”であるか”０”であるかを調べ、”１”であった場合はステップ１３２０に進み、”０”であった場合はステップ１３５０に進むものとする。ステップ１３２０では、対象となっている画素の左側の画素及び真上の画素の色を調べ（当然ながら、この２つの画素の色は同じであるからどちらか一方を調べればよい）、その色が色３であったなら、ステップ１３２５において対象画素を色２で塗潰す。
【００４７】
色３でなく、色１であった場合はステップ１３３０で判定し、ステップ１３３５において対象画素を色３で塗潰す。色３でも色１でもない場合は、必然的に色２であるから、ステップ１３４０において対象画素を色１で塗潰す。なお、ステップ１３５０は、情報を埋め込むことができない画素の色決めに関する処理であり、図１１において説明する。
【００４８】
そして、対象画素の色が決まったならば、ステップ１３６０においてスキャンする画素を一つだけ右に移動する。ただし、最右端であればステップ１３６５において、ステップ１３７０に進み、それ以外の時はステップ１３０５に戻る。同様に、ステップ１３７０では、スキャンする画素を一列だけ下段に移動し、ステップ１３７５において最下段であれば処理を終了するが、それ以外のときはステップ１３０５に戻って処理を継続する。
【００４９】
図１１は、前記ステップ１３５０について詳細に示したフローである。ステップ１４１０において、対象画素の塗潰し色を色１に設定する。ステップ１４１５において、対象画素の左側と真上の画素に関して色を調べ、その両方ともが色１でなければ（すなわち、両方とも色２、両方とも色３、１つが色２でもう１つが色３）、対象画素を色１で塗潰す。ステップ１４１５において少なくとも１つが色１であった場合は、ステップ１４２５において塗潰し色を色２に設定する。
【００５０】
そして、ステップ１４３０において前述と同様に色を調べ、対象画素の左側と真上の画素が色２でなければ、ステップ１４３５において対象画素を色２で塗潰す。ステップ１４３０において色２が含まれる場合は、対象画素の左側と真上の画素のどちらかが色１であり、残りが色２ということであるから、ステップ１４４０において対象画素を色３で塗潰す。このような処理を行なうことで、隣り合う画素は必ず異なる色で塗潰すというルールを守った上で、基本パターンに個別の情報を埋め込むことができる。
【００５１】
図１２の上段は、このようにして作成した台紙のパターン例である。また、下段はこの台紙の上に「う」という字を上書きし、さらに「う」のダイジェスト情報を台紙に埋め込んだ例を示す図である。
上段において、領域１５００の画素１５１０は色１、画素１５２０は色２、画素１５３０は色３で塗られており、隣り合う画素は異なる色で塗潰されている。下段の図において、画素１５６０は文字が重なった部分である。下段では、上段の図において色１に塗られた部分に「う」という文字のダイジェスト情報を埋め込んだ例であり、色１がそのまま残された画素１５７０と、３色と異なる第４の色４で塗潰された画素１５８０が生じる。
【００５２】
図１３に、台紙に対して情報を埋め込む処理のフローを示す。ステップ１６００において、台紙データを読み込み、台紙上に個別データの文字等を上書きする。この時点で、画素１５６０のような文字と重なった画素は文字の色で塗潰す。
【００５３】
ステップ１６２０において、例えば領域の最左上の画素を初期値として設定し、ステップ１６４０において、その対象画素が色１（ここでは色１を空白と表現）であるかどうかを判定する。色１であった場合は、埋め込もうとしている個別データを図１０の説明で述べたのと同じ方法で埋め込む。すなわち、ステップ１６５０において、埋め込む値が“０”であれば塗潰し色はそのままとし、埋め込む値が“１”であれば塗潰し色を色４とする。
【００５４】
そして、対象画素の色が決まったならば、ステップ１６６０においてスキャンする画素を一つだけ右に移動する。ただし、最右端であればステップ１６７０において、ステップ１６８０に進み、それ以外の時はステップ１６３０に戻る。同様に、ステップ１６８０では、スキャンする画素を一列だけ下段に移動し、ステップ１６９０において最下段であれば処理を終了するが、それ以外のときはステップ１６３０に戻って処理を継続する。
【００５５】
なお、台紙管理装置１００、チケット発行管理方法、利用者装置３００、チケット受付装置４００、およびチケット検証装置５００らを適宜につなぐ通信ネットワーク６００に関しては、専用回線やインターネットの他に、ＷＡＮ（Ｗｉｄｅ  Ａｒｅａ  Ｎｅｔｗｏｒｋ）、ＬＡＮ、電灯線ネットワーク、無線ネットワーク、公衆回線網、携帯電話網、ＥＤＩ専用回線など様々なネットワークを採用することも出来る。また、ＶＰＮなど仮想専用ネットワーク技術を用いれば、インターネットを採用した際にセキュリティ性を高めた通信が確立され好適である。
【００５６】
続いて、以下、本実施形態のチケット発行管理方法の具体的な処理手順について説明を行う。図１４は本実施形態における台紙発行手順のフローを示す図である。前記チケット管理装置２００は、チケット用の電子台紙の発行要求を台紙管理装置１００に対して実行する（ｓ２０００）。この台紙発行要求には、チケット管理装置２００の認証データ（ＩＤ、パスワードなど）、発行要求枚数の情報が少なくとも含まれる。
【００５７】
チケット管理装置２００における前記発行者確認プログラム２０３は、このような電子台紙発行要求を生成し、台紙管理装置１００に送信する。なお、前記要求の契機は、利用者装置３００からのチケット発行要求に基づくことが想定される。或いは単にイベント等の興業にあわせて所定枚数のチケットを予め用意することが契機となることも考えられる。
【００５８】
台紙管理装置１００では、前記台紙発行要求を受信する（ｓ２００１）。そして受信した要求に含まれる認証データを読み取り、前記発行先認証データベース１０１に照合することで、前記チケット管理装置２００の認証を行う。
【００５９】
前記チケット管理装置２００が認証されたならば、前記台紙発行要求に含まれる台紙発行要求枚数に応じて台紙データを生成する（ｓ２００２）。このため前記電子台紙発行プログラム１０３は、まず台紙ＩＤを生成する。例えば、台紙発行の依頼を受けた日時と用途識別データと１０桁の乱数を加えた文字列を台紙ＩＤとすれば、台紙ＩＤを推定することを困難ならしめる。また、台紙ＩＤのユニーク性を保つこともできる。
【００６０】
台紙ＩＤを生成したならば、次に台紙データを作成する。さらに、図６で述べたチケット内容データ印字領域９１、チケット発行署名データ印字領域９３、チケット有効期間印字領域９４、使用済みチェック記入領域９５らを確保する。電子台紙を生成したならば、前記電子台紙管理データベース１０２に登録するとともに、前記台紙データを前記チケット管理装置２００に送信する。
【００６１】
なお、前記台紙データを生成するにあたり、生成する台紙の属性をチケット管理装置２００毎に定めたテーブルを参照し、該当するチケット管理装置２００に応じて台紙データの生成内容を指定するとしてもよい。
【００６２】
一方、チケット管理装置２００では、台紙管理装置１００より送信されてきた電子台紙のデータを受信し、適宜な記憶装置に一次保存する（ｓ２００３）。台紙発行は、チケット要求毎に実行してもよい。以下、図１５に基づきチケット発行手順を示す。
【００６３】
上述したように電子台紙の発行要求は、利用者装置３００からのチケット発行要求の受信が契機となることが想定される（ｓ２００４）。前記チケット発行要求を受信したチケット管理装置２００は、これに含まれる利用者装置３００の認証データを前記発行先認証データベース２０１に照合して、利用者装置３００の認証を行う（ｓ２００５）。
【００６４】
前記利用者装置３００が認証されたならば、前記チケット発行要求に含まれるチケット発行要求枚数に応じてチケットデータを生成する（ｓ２００６）。チケットデータは、電子台紙データにおけるパターン（文様）に上書きされる、つまり合成すべき、例えば「イベントの名称」、「開催場所、日時」といった印字情報となる。生成したチケットデータ、つまり電子チケット５０については、前記チケット管理データベース２０２に登録しておく。
【００６５】
前記チケットデータは、台紙管理装置１００より得ている電子台紙データに対し合成され、電子チケット５０をなす（ｓ２００７）。具体的手順としては図７〜１３に基づき既に上述した通りである。また他方で、台紙管理装置１００に対し、前記電子チケット５０を構成する台紙データの利用状況を更新する要求を送信する。台紙管理装置１００ではこれを受けて、前記電子台紙管理データベース１０２において該当する台紙ＩＤを検索し、台紙の利用状況を更新する（ｓ２００９）。例えば、前記電子台紙管理レコード６０における電子台紙発行検証済みフラグカラム６８に“使用済み”といったフラグが立てられる。
【００６６】
生成された電子チケット５０は、利用者装置３００に送信される。利用者装置３００ではこれを受信し、適宜な記憶装置に一次保存する（ｓ２００８）。そして、前記チケット印刷プログラム３０２がプリンタ装置３０３を駆動し、前記電子チケット５０を適宜な印刷媒体上に印字処理する（２０１１）。この時、上述した通り、電子チケット５０の個別情報をコード化する（ｓ２０１０）。個別情報は文様データ、２次元バーコード等となり、前記領域９１〜９５に上書きされることとなる。
【００６７】
更に、前記チケット管理装置２００のチケット管理データベース２０２に対して、前記電子チケット５０の利用状況を更新する要求を実行する。チケット管理装置２００ではこれを受けて、例えば、前記チケット管理レコード７０におけるチケット発行検証済みフラグカラム７８において、“電子チケットは印刷媒体に印刷され印刷物となった”旨のフラグを立てる（ｓ２０１２）。
なお、前記個別情報のコード化処理は、前記利用者装置３００において実行するものとしてもよい。
【００６８】
図１６は本実施形態におけるチケットのオフライン検証手順のフローを示す図である。次に、前記印刷物９０が実際に使用される場面において、どのようにその有効性（改竄有無）を判定するのか説明する。ここでは、チケット受付装置４００が、チケット検証装置５００とオフラインとなっている環境での例を示す。
【００６９】
チケット受付装置４００は、チケット利用者などから前記印刷物９０の提示を受けて、これをキャプチャプログラム４０２が制御する前記イメージスキャナ装置４０１にて読取り処理を行う（ｓ２０１３）。この読取り処理によって、前記印刷物９０上の前記コード化された個別情報を読み取るのである。
【００７０】
前記電子台紙有効性確認プログラム４０３は、前記印刷物９０のイメージ読取り結果より、当該印刷物９０上の電子台紙文様データ（パターン）と、券面（印刷物紙面）からのチケット内容のデータとを認識する。つまり、個別情報を認識する（ｓ２０１４、ｓ２０１５）。個別情報を認識したならば、個別情報間の整合性を判定し、改竄がなされていないかを明らかにする（ｓ２０１６）。
【００７１】
ここでは例えば、実際の印刷物９０から認識された、前記文様データ印字領域９１における文様あるいは領域９２〜９５における文様のパターン領域と、当該パターン領域上に上書き印字された個別情報の領域との相関が、チケット発行署名データ印字領域９３等に印字されているバーコードが意味する「前記両者のチケット発行当初における相関」と整合性を示せば、改竄がなされていないと判定できる。
【００７２】
例えば、本来は台紙に付いていたはずのパターンに不足がある場合は改ざんの可能性があるとみなすことができる。すなわち、チケットの改竄をするために、台紙の上に上書きされたデータを消してその上に別のデータを記入するとしても、上書きデータを消す際に台紙に書かれていたパターンを一緒に消してしまい、結局改竄が発覚するのである。
【００７３】
図１７は本実施形態におけるチケットのオンライン検証手順のフローを示す図である。一方、台紙の真贋検証を、オンラインを通じてチケット検証装置５００で行うとしてもよい。そこでチケット受付装置４００は、前記有効性確認用のデータをチケット検証装置５００に転送処理する（ｓ２０１８）。
【００７４】
チケット検証装置５００では、前記同様の有効性確認の処理を行う一方で（ｓ２０１９）、前記チケット管理装置２００のチケット管理データベース２０２に対し、前記改竄が行われていないと認識された印刷物９０に対応する電子チケット５０の利用状況を更新する要求を実行する（ｓ２０２０）。チケット管理装置２００ではこれを受けて、前記チケット管理レコード７０におけるチケット使用検証済みデータカラム８０を更新する（ｓ２０２１）。ここでは、利用者装置３００のＩＤ（使用先ＩＤ）などが関連づけされる。
或いは、このチケット検証装置５００が、チケット受付装置４００で行われた有効性確認の結果をとりまとめてチケット受付装置４００に送信する、バッチ処理の役割を担うものと設定することも出来る。
【００７５】
図１８は第２実施例としてのオンリワンス署名チケットの適用例概要を示す図であり、図１９はオンリワンス署名チケットの印刷例を示す図である。従来、電子文書への署名代行は、代行者が依頼者から認証ＩＣカード等を預かって行うほか方途が無かった。そうなると、認証ＩＣカードの不正使用の可能性が排除できず、セキュリティの面からも問題が残されていた。そこで、前記の代行者へ渡す署名の権限を限定的とする手法を本発明が編み出した。それがすなわちオンリワンス署名チケットとなる。
【００７６】
署名代行等を依頼する依頼者は、まず印刷端末１９００において前記オンリワンス署名チケット（以下、単にチケット）を印刷し、印刷物９０としてのチケットを入手する。この印刷物９０は、図１９で示すように、二つの半券領域１９５０、１９６０から大きく構成されている。
【００７７】
一方の半券領域１９５０（添付電子チケット）は、各種申請処理等において添付を要する電子チケット、つまり電子署名の機能をもつものとなる。既出の印刷媒体９０における構成と同様に、電子台紙文様データ印字領域１９５１が存在し、この領域中には、「申請書添付半券」印字領域１９５２、チケット内容データ印字領域１９５３、チケット発行署名データ印字領域１９５４が含まれる。更に、チケット使用先ＩＤ／整理番号記入領域１９５５も配置される。
【００７８】
他方の半券領域１９６０は（返送電子チケット）、前記半券領域１９５０なる電子チケットの処理状況を前記依頼者側に返送する属性が付されたものである。こちらも同様に、電子台紙文様データ印字領域１９６１が存在し、この領域中には、「チケット検証サイト送付半券」印字領域１９６２、チケット内容データ印字領域１９６３、チケット発行署名データ印字領域１９６４が含まれる。更に、チケット使用先ＩＤ／整理番号記入領域１９６５も配置される。
【００７９】
このような印刷物９０は、前記印刷端末１９００が備える、利用者確認プログラム１９０１による利用者認証を経て、チケット印刷プログラム１９０２によるプリンタ装置１９０３での印刷処理により生成される。
【００８０】
前記依頼者から署名代行を依頼された利用者は、前記半券領域１９５０を印刷物９０より切り離す。そして申請書類９５と一緒にチケット受付装置４００に提出されることとなる。或いは電子化がされたチケット受付場所（例：申請代理人事務所）であれば、電子申請入力プログラム４０４とそれに応じた適宜な入出力インターフェイスを備えて、申請書類９５の携行は不要となる。この場合、前記半券領域１９５０について、イメージスキャナ装置４０１によるイメージ読取りがなされ、電子台紙有効性確認プログラム４０３のもと、有効性の判定が行われる。
【００８１】
改竄がないとなれば、前記印刷物９０の起源となるチケット検証装置１８００（例：役所窓口など）において、チケット状態更新プログラム１８０１のもと、前記半券領域１９５０の電子チケットとしての効力を抹消するチケット状態の更新がなされる。また、電子申請の受付プログラム１８０２が稼動し、前記半券領域１９５０の電子署名を伴った正常な電子申請処理が実行されるのである。
【００８２】
なお、前記半券領域１９５０、つまり添付電子チケットは使用回数に上限値を設定することができる。例えば、処理回数フラグをチケットデータ中に含み、チケット検証装置１８００あるいはチケット受付装置４００において受付処理がなされる毎に前記フラグを立て、前記上限値までフラグが達したならば当該添付電子チケットの有効性を破棄するのである。
一方、前記チケットの受付場所が電子化されていないような場合、電子台紙の有効性を目視等で確認し、詳細な真贋判定は、前記チケット受付装置４００と同様の機能を備えるチケット検証装置１８５０にて行うとしてもよい。
【００８３】
以上、本発明の実施の形態について、その実施の形態に基づき具体的に説明したが、これに限定されるものではなく、その要旨を逸脱しない範囲で種々変更可能である。
【００８４】
【発明の効果】
本発明によれば、有効性確認を経済的かつ効率的に実行可能なチケット発行管理方法およびシステム、情報処理装置を提供可能となる。
【図面の簡単な説明】
【図１】本実施形態におけるチケット発行管理方法の概念モデルを示す図である。
【図２】第１〜４の情報処理装置を集約して１つのシステム（チケット発行管理システム）とみなした構成例を示す図である。
【図３】発行先認証データベースのデータ構造例を示す図である。
【図４】電子台紙管理データベースのデータ構造例を示す図である。
【図５】チケット管理データベースのデータ構造例を示す図である。
【図６】本実施形態における印刷媒体の構成例を示す図である。
【図７】領域９２に対して施される処理について概念的に示した説明図である。
【図８】図７及び図９において情報処理装置による読み取りを考慮したドットパターンの例を示す説明図である。
【図９】図７における課題を考慮した塗潰し方法について示した説明図である。
【図１０】個別データが記載される領域に対して、基本パターンに台紙の固有値を書き込む処理であり、この領域の塗潰しパターンの生成方法に関するフローチャートである。
【図１１】図１０におけるステップ１３５０について詳細に示したフローチャートである。
【図１２】図１０に示す処理によって作成されるパターンの例を示した説明図である。
【図１３】台紙のパターンに個別データを上書きするための処理フローである。
【図１４】本実施形態における台紙発行手順のフローを示す図である。
【図１５】本実施形態におけるチケット発行手順のフローを示す図である。
【図１６】本実施形態におけるチケットのオフライン検証手順のフローを示す図である。
【図１７】本実施形態におけるチケットのオンライン検証手順のフローを示す図である。
【図１８】第２実施例としてのオンリワンス署名チケットの適用例概要を示す図である。
【図１９】オンリワンス署名チケットの印刷例を示す図である。
【符号の説明】
１０  チケット発行管理システム、システム
１１  メモリ
１２  演算装置、ＣＰＵ
１３  Ｉ／Ｏ制御部
１４  入出力インターフェイス、ユーザ操作入出力部
１５  ネットワークアダプタ、通信ネットワーク接続部
１６  ハードディスク、記憶装置
５０  電子チケット
５５  発行先認証レコード
５６  発行先ＩＤ
５７  認証用のパスワード
５８  受付可能要求コード
６０  電子台紙管理レコード
６１  電子台紙ＩＤカラム
６２  台紙発行時刻カラム
６３  台紙発行時署名データカラム
６４  有効期間データカラム
６５  用途識別データカラム
６６  暗号鍵カラム
６７  電子台紙発行先ＩＤカラム
６８  電子台紙発行検証済みフラグカラム
７０  チケット管理レコード
７１  チケット発行時刻カラム
７２  チケット内容データカラム
７３  チケットＩＤカラム
７４  チケット発行署名データカラム
７５  チケット利用者ＩＤカラム
７６  電子台紙ＩＤカラム
７７  電子台紙文様データカラム
７８  チケット発行検証済みフラグカラム
７９  チケット有効期間カラム
８０  チケット使用検証済みデータカラム
９０  印刷物
９１  電子台紙文様データ印字領域
９２  チケット内容データ印字領域
９３  チケット発行署名データ印字領域
９４  チケット有効期間印字領域
９５  使用済みチェック記入領域
１００  第１の情報処理装置、電子台紙発行管理装置、台紙管理装置
１０１  発行先認証データベース、台紙発行先認証データベース
１０２  電子台紙管理データベース、台紙管理データベース
１０３  電子台紙発行プログラム
１０４  電子台紙状態更新プログラム
１５０  認証局
２００  第２の情報処理装置、チケット発行管理装置、チケット管理装置
２０１  発行先認証データベース、チケット発行先認証データベース
２０２  チケット管理データベース
２０３  発行者確認プログラム
２０４  チケット発行プログラム
２０５  チケット状態更新プログラム
３００  第３の情報処理装置、利用者装置
３０１  利用者確認プログラム
３０２  チケット印刷プログラム
３０３  プリンタ装置、印刷装置
４００  チケット受付装置
４０１  イメージスキャナ装置
４０２  キャプチャプログラム
４０３  電子台紙有効性確認プログラム
４０４  検証データ転送プログラム
５００  チケット検証装置
５０１  イメージスキャナ装置
５０２  キャプチャプログラム
５０３  電子台紙有効性確認プログラム
５０４  チケット状態更新要求プログラム
６００  通信ネットワーク、ネットワーク
【図１】
2004303091.tif 000003
【図２】
2004303091.tif 000004
【図３】
2004303091.tif 000005
【図４】
2004303091.tif 000006
【図５】
2004303091.tif 000007
【図６】
2004303091.tif 000008
【図７】
2004303091.tif 000009
【図８】
2004303091.tif 000010
【図９】
2004303091.tif 000011
【図１０】
2004303091.tif 000012
【図１１】
2004303091.tif 000013
【図１２】
2004303091.tif 000014
【図１３】
2004303091.tif 000015
【図１４】
2004303091.tif 000016
【図１５】
2004303091.tif 000017
【図１６】
2004303091.tif 000018
【図１７】
2004303091.tif 000019
【図１８】
2004303091.tif 000020
【図１９】
2004303091.tif 000021